(57)【要約】【課題】カーテンボックスのボックス本体の振れ止め手段が、安価なコストで製作でき、かつ、振れ止め手段の建物躯体に対する組み付け施工が、簡略に行えるようにする。【解決手段】建物躯体の室内側に露出する部位で、その建物躯体の天井部分に装架せるボックス本体の垂直な壁板の下端部と対向する部位に、振れ止め材を螺子ビスにより固定装着し、その振れ止め材の上部側にはボックス本体のに向けて突出する水平板を設け、下部側には、ボックス本体の水平な張出天板の外端の立上壁が下方から嵌入する嵌合凹部を形設し、かつ、ボックス本体の前記垂直な壁板には、顎下面により前記振れ止め材の水平板の上面側に対し圧接する係止突条を装設しておく。【選択図】図６
2018000526.tif 000002
【特許請求の範囲】
【請求項１】
建物躯体（ａ）の室内側に露出する部位で、その建物躯体（ａ）の天井部分に吊りボルト（２）を介して装架せるボックス本体（１）の垂直な壁板（１ａ）の下端部と対向する部位に、振れ止め材（７）を当接して螺子ビス（９）により固定装着し、その振れ止め材（７）の上部側にはボックス本体（１）の前記垂直な壁板（１ａ）に向けて突出する水平板（７ａ）を設け、下部側には、ボックス本体（１）の水平な張出天板（１１）の外端の立上壁（１２）が下方から嵌入する嵌合凹部（ｕ）を形設し、かつ、ボックス本体（１）の前記垂直な壁板（１ａ）には、顎下面により前記振れ止め材（７）の水平板（７ａ）の上面側に対し圧接する係止突条（８）を装設しておくことを特徴とするブラインドボックス及びカーテンボックスの建物躯体に対する取付方法。
【発明の詳細な説明】
【技術分野】
【０００１】
本発明は、建物の窓枠の内側の位置に、カーテンまたは、ブラインドを装備せしめるための、カーテンボックスまたは、ブラインドボックスを建物躯体に取付装備せしめる取付手段に関する。さらに詳しくいえば、アルミ合金等の金属材の押出成形により、下方に開放するチャンネル状の断面形状をもって連続する長尺物に形成されているブラインドボックスまたは、カーテンボックスを、建物躯体の窓枠の内側位置に、振れが生じない安定した態様として取り付け装備せしめるブラインドボックス及びカーテンボックスの取付手段についての改良に関する。
【背景技術】
【０００２】
ブラインド、またはカーテンの装架構造部ブラインドボックス及びカーテンボックスを、建物躯体の室内側における窓枠（サッシ枠）の内側で、建物躯体の天井部に装架せしめる手段は、従前にあっては、通常、図１に示している如く、建物躯体ａの、窓枠ｂが構築されている部位の内側位置における、その建物躯体ａの天井部位に、ボックス本体１を配位し、それを、建物躯体ａの前記天井部位に、予め付設しておくアンカーボルト２に、吊りアンカー３を介して連結支架せしめることで行っている。
【０００３】
即ち、建物躯体ａの窓枠ｂの内側位置における建物躯体ａの天井部位には、該部位にコンクリートを打ち込んで、その天井部位を構築するときに、その窓枠ｂの内側における天井部位には、その天井部位にボックス本体１を吊り下げ装架せしめる吊りボルト２（アンカーボルト）を装置せしめるための、雌ねじ状の取付螺子筒２０を、所定の位置に配列・配位して組み付けておく。そして建物躯体ａの前記天井部をコンクリートの打ち込みにより構築するときは、前記取付螺子筒２０を配列・配位して建物躯体ａに組み込んだ状態においてコンクリートを打ち込み、打ち込んだあとの天井部に、前記取付螺子筒２０が、コンクリートにより埋設状態で存在するようにしておく。そして、これら取付螺子筒２０には、建物躯体ａの天井部に配位したボックス本体１と対向する取付螺子筒２０に、図１及び図３において示している如く、ねじ軸状に形成してある前述の吊りボルト２（アンカーボルト）の上端側を螺子込み、建物躯体ａの天井部には、吊りボルト２が設置されている状態とする。
【０００４】
次に、アルミ合金等の金属材で、下方に開放する下向きのチャンネル状の断面形状をもって長手方向に連続する長尺物に成形されているボックス本体１を、設置しようとする所定の長さに切断し、これを、前述の図１に示している如く、建物躯体ａの窓枠ｂ（サッシ枠）の内側の天井部位に配位する。
【０００５】
次に、そのボックス本体１の天井部の上面側に形設してある断面Ｔ字状のレール状の係合レール１０に対し、図２に示している如き形状に成形されている吊りアンカー３の座板部３０を嵌め込み、係合レール１０に嵌合せしめて、その状態で係合レール１０に沿い該吊りアンカー３を吊りボルト２の下方位置に向け摺動させる。
【０００６】
次に吊りアンカー３の頂部に設けた水平な折曲板３１に形設せる連結穴３２に、建物躯体ａに吊り下げ装置せる前記吊りボルト２の下端側を挿通し、その吊りボルト２の下端に、折曲板３１の下面側から締結ナット２１を螺子込み締結し、ボックス本体１を、建物躯体ａに吊りアンカー３を介し吊り下げ装着する。
【０００７】
これにより、ブラインドボックス・カーテンボックスのボックス本体１は、建物躯体ａのサッシ枠ｂの内側における所定位置に、固定装着されることになるが、実際には、吊りボルト２の撓みや、吊りボルト２の建物躯体ａに対する取付支点である取付螺子筒２０を中心としてサッシ枠ｂに対し前後に遙動するようになる。この遙動は、両端部の張出天板についていえば、図４に示している如く、ボックス本体１の下端から外側に張り出すＬ字型の張出天板１１が、上下及び前後（図１において左右）に動くようになり、ボックス本体１の建物躯体ａに対する組み付け固定を不安定なものとする。
【０００８】
このことから、吊りボルト２に設けた吊りアンカー３により固定装架したブラインド・カーテンボックス本体１は、下端側の張出天板１１が、建物躯体ａに対し前後に及び上下に振れるようになるのを阻止するために、建物躯体ａの、前記ボックス本体１の張出天板１１の外端面と対向する部位に、図４に示している如く、断面形状がＬ字形をなして、ボックス本体１に平行して長尺物に連続する形態の振れ止め材４を、それの垂直壁部４０の外端面を建物躯体ａの内面側におけるサッシ枠ｂの外端壁に当接せしめて、螺子ビス５により建物躯体ａに対し固定装着し、この振れ止め材４の水平壁部４１を、ボックス本体１の下端部の張出天板１１に対し螺子ビス６により連結固定することで、ボックス本体１の下端側を、建物躯体ａに対し連結固定する手段である。
【０００９】
ところで、上述した如く、螺子ビス５及び螺子ビス６により振れ止め材４を建物躯体ａに対し固定状態に連結して組み付け、この振れ止め材４にボックス本体１の下端部の張出天板１１を、螺子ビス６による締結によって行うボックス本体１の振れ止め手段には、その振れ止めのために、振れ止め材４を建物躯体ａに対し組み付け固定するための螺子ビス５と、振れ止め材４に対しボックス本体１の下端側の張出天板１１を連結固定するための螺子ビス６との２種の螺子ビスを要し、かつ、それら螺子ビス５・６は、それぞれ、建物躯体ａとボックス本体１の張出天板１１との２種の部材に対してそれぞれ締結するように使用される。
【００１０】
しかも、張出天板１１の下方から螺子込むように用いられる螺子ビス６にあっては、その螺子込み箇所が、建物躯体ａの室内側に露出するボックス本体１の張出天板１１の下面側となることから、見苦しくならないことが要求されることで、通常、図４に示している如く、頭部を皿状に成形した特殊形状の特皿ビスが用いられる。
【００１１】
これらのことから、この上述した従来手段には、使用する螺子ビス５・６が２種類になることと、螺子ビス５・６の螺子込み箇所が、２通りの箇所となることで、部材の製造コストが嵩み、かつ、組み付け作業の手間がかかる問題がある。
【発明の概要】
【発明が解決しようとする課題】
【００１２】
本発明において解決しようとする課題は、建物躯体ａの窓枠の内側における建物躯体ａの天井部に、吊りボルト２により吊り下げ支持せしめたボックス本体１の下端側が、前後及び上下に遙動するようになるのを、阻止するための振れ止め材４の螺子ビス５・６の締結による組み付けの作業及び、その振れ止め材４の組み付けの部材の製造が簡単に行えるようにする点にある。
【課題を解決するための手段】
【００１３】
本発明においては、上述した課題を解決するための手段として、建物躯体ａの室内側に露出する部位で、その建物躯体ａの天井部分に吊りボルト２を介して装架せるボックス本体１の垂直な壁板１ａの下端部と対向する部位に、振れ止め材７を当接して螺子ビス６により固定装着し、その振れ止め材７の上部側にはボックス本体１の前記垂直な壁板１ａに向けて突出する水平板７ａを設け、下部側には、ボックス本体１の水平な張出天板１１の外端の立上壁１２が下方から嵌入する嵌合凹部ｕを形設し、かつ、ボックス本体１の前記垂直な壁板１ａには、顎下面により前記振れ止め材７の水平板７ａの上面側に対し圧接する係止突条８を装設しておくことを特徴とするブラインドボックス及びカーテンボックスの建物躯体に対する取付方法を提起するものである。
【発明の効果】
【００１４】
この本発明によるブラインドボックス・カーテンボックスの取付構造におけるボックス本体の振れ止め手段は、使用する螺子ビス９が、振れ止め材７を建物躯体ａに締着するための１種類の螺子ビス９だけでよいことから、製作コスト及び組付作業のコストを安価にする。
【００１５】
また、振れ止め材７によるボックス本体１の固定を、ボックス本体１に設けた係止突条８に対する水平板７ａとの圧接、及び、立上壁１２と嵌合凹部ｕとの嵌合による圧接によって行っていることから、螺子ビス９の締着を緩めれば振れ止め材７の長手方向の動きが、加圧により可能となってくるので、ボックス本体１の組み付けの際の調整がすこぶる簡略なものとなる。
【図面の簡単な説明】
【００１６】
【図１】従前のブラインドボックスの取付構造におけるボックス本体の振れ止め手段の、全体の縦断側面図である。
【図２】同上の振れ止め手段の吊りボルトの設置構造を説明する組み付け途上の要部の拡大した縦断側面図である。
【図３】同上の振れ止め手段の、吊りアンカーの斜視図である。
【図４】同上振れ止め手段の要部の拡大した縦断側面図である。
【図５】本発明を実施せるボックス本体の振れ止め手段の全体の縦断側面図である。
【図６】同上手段の要部の拡大した縦断側面図である。
【発明を実施するための形態】
【００１７】
次に本発明の実施の態様を、図面に従い説明する。
【実施例１】
【００１８】
図５は、本発明による振れ止め装置の１実施例の縦断側面図、図６は同上装置の要部の縦断した側面図である。これら図において、符号１は、建物躯体ａの窓枠ｂの内側における天井部位に吊りボルト２により吊り下げ装設したブラインドボックス本体、符号７は、建物躯体ａに組み付けた振れ止め材を示す。なお、構成部材を指示する図面における符号は、従前手段のものと同様の構成部材については、従来手段において用いている符号と同じものを用いている。
【００１９】
ブラインドボックス・カーテンボックス本体１の建物躯体ａに対する組付構造は、従来から用いられ、実施されているものについて、図面に従い具体的に説明すれば、図１は従前手段の全体の概要図で、縦断した側面図である。同図において、ａは建物躯体、ｂは建物躯体ａに一体に結合せしめて構築されている窓枠（サッシ枠）、１は建物躯体ａの窓枠ｂの内側における天井部分に、アンカーボルト２により吊り下げ装置せるブラインドボックスの本体（またはカーテンボックスの本体）を示す。
【００２０】
ブラインドボックスの本体１は、軽金属材、鉄材等の適宜の金属材の押出成型により、同一の断面構造をもって長手方向に連続する長尺物として形成されているもので、下方に開放する下向きのチャンネル状に成形してある。
【００２１】
このブラインドボックス本体１の建物躯体ａに対する装着は、下向きのチャンネル状の断面形状をもって連続する長尺物に押出成形されているボックス本体１を、設置しようとする所定の長さに切断して、これを、前述の図１に示している如く、建物躯体ａの室内側における窓枠ｂ（サッシ枠）の内側における天井部位に配位し、その建物躯体ａの天井部に装設しておく吊りボルト２により吊り下げ支持せしめることで行う。
【００２２】
建物躯体ａの前記天井部には、その天井部をコンクリートの打ち込みの前に、前記吊りボルト２の上端側を係合支持させる取付螺子筒２０が、所定の位置に配位して組み付けられ、コンクリートの打ち込みにより、そのコンクリートによって一体的に埋設された状態となって支持されている。
【００２３】
この取付螺子筒２０に、上端側を螺子込み、建物躯体ａの室内側の天井部に吊り下げ状態に装置する吊りボルト２は、図５において示している如く、上下に長い軸杆状の螺子軸であり、下端側には、図２に示している如き形態の吊りアンカー３と、その吊りアンカー３を、該吊りボルト２に締結せしめて連結支持させるための締結ナット２１とが、組み付けられる。
【００２４】
なお、この吊りアンカー３は、図２に示している如き形状のもので、底部側には、ボックス本体１の天板の上面側に形設してある側断面がＴ字状をなして前後に一対に並列する係合レール１０・１０に対して嵌合して係合する座板部３０が形設してあり、この座板部３０の前後の端縁と、前記ボックス本体１の上面側の係合レール１０・１０との嵌合による連結・係合によって、吊り下げ支持せしめてある。
【００２５】
また、この吊りアンカー３の吊りボルト２に対する連結係着は、図２に示している如く、吊りアンカー３の上部に設けた水平な折曲板３１に、吊りボルト２が挿通される長穴状の連結穴３２を形成しておいて、吊りボルト２の下端側を、この連結穴３２に対し上方から挿通し、その連結穴３２から下方に突出する下端側に、締結ナット２１を螺合して、その締結ナット２１を吊りアンカー３の水平な折曲線３１に対し締結することで吊りボルト２に吊りアンカー３を連結係着せしめている。
【００２６】
しかして、下向きのチャンネル状の断面形状に押出成形されるボックス本体１は、前後の壁板１ａの各下端部に、それぞれ、外側に向けて水平に張り出す張出天板１１が連続して形設してあり、その張出天板１１の張り出し側の外端部には、短く立ち上がる立上壁１２が形設してある。
【００２７】
この立上壁１２の上方における建物躯体ａの室内側の壁面でボックス本体１の下端部と対向する部位には、ボックス本体１の下端側の振れを阻止する振れ止め材７を、取り付け固定するための取付座ｃが形設してあり、振れ止め材７は、この取付座ｃに当接せしめて、螺子ビス９により固定装着せしめてある。
【００２８】
振れ止め材７には、上部側にボックス本体１の壁板１ａに向けて水平な棚板状に突出する水平板７ａが設けられ、下部側には、ボックス本体１の下端部に装設されている立上壁１２が下方から嵌入する嵌合凹部ｕが形設してある。
【００２９】
また、ボックス本体１の前記水平板７ａの突出端部の上面側が圧接していく係止突条８が設けてあり、この係止突条８の顎の下面側による水平板７ａに対する圧接、及び押さえ込みにより、ボックス本体１の振れを防止するようにしている。
【００３０】
また、振れ止め材７の下端側には、ボックス本体１の張出天板１１外端の立上壁１２を、下方から嵌合せしめる嵌合凹部ｕが形設されるが、その嵌合凹部ｕは、嵌合してくる立上壁１２の頂面と圧接して、ボックス本体１の振れを阻止する形状に形成してある。
【符号の説明】
【００３１】
ａ    建物躯体
ｂ    窓枠（サッシ枠）
ｃ    取付座
ｕ    嵌合凹部
１    ボックス本体
１ａ  垂直な壁板
１０    係合レール
１１    張出天板
１２    立上壁
２    吊りボルト（アンカーボルト）
２０    取付螺子筒
２１    締結ナット
３    吊りアンカー
３０    座板部
３１    折曲板
３２    連結穴
４    振れ止め材
４０    垂直壁部
４１    水平壁部
５  ６    螺子ビス
７    振れ止め材
７ａ  水平板
８    係止突条
９    螺子ビス
【図１】
2018000526.tif 000003
【図２】
2018000526.tif 000004
【図３】
2018000526.tif 000005
【図４】
2018000526.tif 000006
【図５】
2018000526.tif 000007
【図６】
2018000526.tif 000008
【手続補正書】
【提出日】平成28年7月15日(2016.7.15)
【手続補正１】
【補正対象書類名】図面
【補正対象項目名】全図
【補正方法】変更
【補正の内容】
【図１】
2018000526.tif 000009
【図２】
2018000526.tif 000010
【図３】
2018000526.tif 000011
【図４】
2018000526.tif 000012
【図５】
2018000526.tif 000013
【図６】
2018000526.tif 000014